(57)【要約】【課題】内外二重容器エアゾール噴射機構における内容器上端側の内部空間域の残留空気排出の確実化を図る。【解決手段】噴射操作と連動するステム６およびステムガスケット８などを収容し、内容物の上方向への内側通路域Ｂを設定するする中央筒状部４ｂと、この外側に配設されて内容器２の上端側内周面２ａ，２ｂと係合する外側筒状部４ａと、中央筒状部外周面と外側筒状部内周面との間に複数設定された縦板リブ状部４ｊと、を備えたハウジング４に、その下側を囲む形でハウジングカバー５(3)を設けた。ハウジングカバー５(3)は、ハウジング４の外周面との間に、内容器２の上端側内部空間域から下方向に内側通路域Ｂまで続く外側通路域Ａを形成する。また、上端側片部５ｇが、縦板リブ状部４ｊの隣同士間に設定される個々の上端側内部空間域に入り込んで外側通路域Ａの入口部分として作用するので、縦板リブ状部間の残留空気が確実に排出される。【選択図】図３
2015209245.tif 000002
【特許請求の範囲】
【請求項１】
上開口の外容器と、その内側に配設されて噴射対象の内容物を収容する上開口で軟性袋状の内容器との間の空間域に充填した噴射用ガスの作用により、当該内容物が外部空間域に噴射される内外二重容器エアゾール噴射機構において、
前記内容物の噴射操作と連動するバルブ作用部と、
前記バルブ作用部を収容し、前記内容器の上開口の部分に取り付けられて前記内容物の上方向への内側通路域を設定するハウジングと、
前記ハウジングの下側を囲む形で設けられて、当該ハウジングの外周面との間に、前記内容器の内部空間域上端側から下方向に前記内側通路域まで続く外側通路域を形成する、上開口のハウジングカバーと、を備え、
前記外部空間域に噴射される前記内容物は、
前記外側通路域を前記上端側から下方向に移動した後、その下流側の前記内側通路域を上方向に移動して前記バルブ作用部を通過する、
ことを特徴とする内外二重容器エアゾール噴射機構。
【請求項２】
前記ハウジングは、
前記バルブ作用部を収容する中央筒状部と、
当該中央筒状部の外側に配設されて前記内容器の上端側内周面と係合する外側筒状部と、
当該中央筒状部の外周面と当該外側筒状部の内周面との間に複数設定された縦板リブ状部と、を備え、
前記ハウジングカバーは、
前記縦板リブ状部の隣同士間に設定される個々の上端側内部空間域に入り込んで前記外側通路域の入口部分として作用する、周方向の上端側片部を備えた、
ことを特徴とする請求項1記載の内外二重容器エアゾール噴射機構。
【請求項３】
前記縦板リブ状部は、
前記中央筒状部の外周面であって内容物通過用溝状部が形成されていない凸状部分と、前記外側筒状部の内周面との間に設定されている、
ことを特徴とする請求項２記載の内外二重容器エアゾール噴射機構。
【請求項４】
前記ハウジングは、
内容物流入用のチューブが取り付けられ得る下側筒状部を備えている、
ことを特徴とする請求項１乃至３のいずれかに記載の内外二重容器エアゾール噴射機構。
【請求項５】
請求項１乃至４のいずれかに記載の内外二重容器エアゾール噴射機構を備えて、前記内容器に前記内容物を収容し、前記空間域に前記噴射用ガスを充填した、
ことを特徴とするエアゾール式製品。
【発明の詳細な説明】
【技術分野】
【０００１】
本発明は、上開口の外容器と、その内側に配設されて噴射対象の内容物（原液など）を収容する上開口で袋状の内容器と、の間の空間域に充填した噴射用ガスの作用で、当該内容物が外部空間域に噴射される内外二重容器エアゾール噴射機構に関する。
【０００２】
特に、バルブ作用部を収容して内容器の上開口部分に配設されるハウジングの下端側へ流入する内容物が、この流入の前に、ハウジング外周面側の上端入口部分からハウジング下端側へと連続形成された外側通路域を、通過するエアゾール噴射機構に関する。
【０００３】
このように内容器の噴射対象内容物は、ハウジング下端側へ直に流入するのではなく、ハウジング外周面の上端側から始まる外側通路域を下方に移動した後、ハウジング下端側へ流入する。
【０００４】
すなわち、内容器の（外側通路域入口より下方の）噴射対象内容物は、「ハウジング外周面上側の外側通路域入口への上方向移動→外側通路域内部での下方向移動」といった、内容器上端側経由の迂回ルートを経てハウジング下端側に流入する。
【０００５】
本発明では、内容物収容後の内容器へ後述のバルブユニットを装着することにともない内容器上端側の内部空間域に残留する空気を、エアゾール式製品の初期噴射操作で、この迂回ルートにより外部空間域へと排出している。
【０００６】
また、従前のマウンティングカップ機能を併せ備えたハウジングの鍔状部分の下面径方向に複数の強度補強用の縦板リブ状部を形成し、この隣同士の縦板リブ状部の間に外側通路域の入口部分を設定している。
【０００７】
また、この鍔状部分の下面径方向の縦板リブ状部、すなわちハウジングの外側筒状部内周面と中央筒状部外周面との間の環天井部における縦板リブ状部を、当該中央筒状部外周面の縦溝状部が形成されない部分（外側筒状部により近い部分）に設けている。
【０００８】
また、ハウジング自体としては、内容物流入用のディップチューブを取付け可能な汎用形状のものを用いている。
【０００９】
なお、本明細書では外容器および内容器それぞれの開口側を「上」、当該開口側とは長手方向反対の底面側を「下」とする。この上下縦方向と直交する側を「横」と記す。
【背景技術】
【００１０】
本件出願人は、上述の内容器上端側の内部空間域に生じる空気が、原液注入後のバルブユニット装填工程での内容器の下動にともない外部空間域へ排出される、ように上端側首部分の形状を工夫した袋状の内容器を提案ずみである（特許文献１参照）。
【先行技術文献】
【特許文献】
【００１１】
【特許文献１】特開２０１１−１３６４７号公報
【発明の概要】
【発明が解決しようとする課題】
【００１２】
本発明は、袋状の内容器形状を特にかえるのではなく、ハウジング外周面側に、内容器上端側を入口とするハウジング内部への内容物噴射迂回ルートを設けて、初期噴射操作により内容器上端側内部の残留空気を排出する、といった着想に基づいている。
【００１３】
このようなハウジングの外側通路域からなる新たな内容物噴射迂回ルートの設定により、内外二重容器エアゾール噴射機構における内容器上端側の内部空間域の残留空気排出についての技術の豊富化を図ることを目的とする。
【００１４】
また、ハウジングの内外筒状部間の鍔状部分（環天井部）の下面径方向に複数形成した補強用の縦板リブ状部の間に、外側通路域の入口部分（流入部）を設定して、この縦板リブ状部間の残留空気の排出の確実化を図ることを目的とする。
【００１５】
また、この補強用の縦板リブ状部を、外側筒状部と、内側の中央筒状部外周面の中で当該外側筒状部により近いいわば凸状部分との間に形成して、ハウジング成形に必要な樹脂量の削減化を図ることを目的とする。
【００１６】
また、内容物流入用のディップチューブを取付け可能な汎用形状のハウジングを用いて、内容器上端側の内部空間域の残留空気を排出する内外二重容器エアゾール噴射機構におけるハウジングの有効利用化や製品コストの削減化を図ることを目的とする。
【課題を解決するための手段】
【００１７】
本発明は、以上の課題を次のようにして解決する。
（１）上開口の外容器(例えば後述の外容器１)と、その内側に配設されて噴射対象の内容物を収容する上開口で軟性袋状の内容器(例えば後述の内容器２)との間の空間域（例えば後述の与圧空間域３）に充填した噴射用ガスの作用により、当該内容物が外部空間域に噴射される内外二重容器エアゾール噴射機構において、
前記内容物の噴射操作と連動するバルブ作用部（例えば後述のステム孔部６ｂ，ステムガスケット８）と、
前記バルブ作用部を収容し、前記内容器の上開口の部分に取り付けられて前記内容物の上方向への内側通路域（例えば後述の内側通路域Ｂ）を設定するハウジングと、
前記ハウジングの下側を囲む形で設けられて、当該ハウジングの外周面との間に、前記内容器の内部空間域上端側から下方向に前記内側通路域まで続く外側通路域（例えば後述の外側通路域Ａ）を形成する、上開口のハウジングカバー（例えば後述のハウジングカバー５(1)〜５(5)）と、を備え、
前記外部空間域に噴射される前記内容物は、
前記外側通路域を前記上端側から下方向に移動した後、その下流側の前記内側通路域を上方向に移動して前記バルブ作用部を通過する、
構成態様のものを用いる。
（２）上記（１）において、
前記ハウジングは、
前記バルブ作用部を収容する中央筒状部（例えば後述の中央上筒状部４ｂ）と、
当該中央筒状部の外側に配設されて前記内容器の上端側内周面（例えば後述の内上端側環状部２ａ，内側環へこみ状部２ｂ）と係合する外側筒状部（例えば後述の外側筒状部４ａ）と、
当該中央筒状部の外周面と当該外側筒状部の内周面との間に複数設定された縦板リブ状部（例えば後述の強度アップ用の縦板リブ状部４ｊ）と、を備え、
前記ハウジングカバー（例えば後述のハウジングカバー５(3)，５(4)，５(5)：図３〜図７）は、
前記縦板リブ状部の隣同士間に設定される個々の上端側内部空間域に入り込んで前記外側通路域の入口部分として作用する、周方向の上端側片部（例えば後述の径方向階段状片部５ｇ，すり鉢状片部５ｋ）を備えた、
構成態様のものを用いる。
（３）上記（２）において、
前記縦板リブ状部は、
前記中央筒状部の外周面であって内容物通過用溝状部（例えば後述の外側縦溝状部４ｈ）が形成されていない凸状部分（例えば後述の内側縦溝状部４ｇの裏側部分）と、前記外側筒状部の内周面との間に設定された、
構成態様のものを用いる。
（４）上記（１），（２），（３）において、
前記ハウジングは、
内容物流入用のチューブが取り付けられ得る下側筒状部（例えば後述の中央下筒状部４ｄ）を備えた、
構成態様のものを用いる。
【００１８】
本発明の対象は、このような構成からなる内外二重容器エアゾール噴射機構、およびこの内外二重容器エアゾール噴射機構を備えて後述の各種の噴射対象内容物，噴射用ガスを収容したエアゾール式製品である。
【発明の効果】
【００１９】
本発明は以上の課題解決手段により、
(11)内容器上端側の内部空間域の残留空気排出についての技術の豊富化を図り、
(12)内容器上端側への装着ハウジングの鍔状部分（環天井部）の補強用縦板リブ状部間における残留空気の排出の確実化を図り、
(13)ハウジング成形に必要な樹脂量の削減化を図り、
(14)内容器上端側の内部空間域の残留空気を排出する内外二重容器エアゾール噴射機構におけるハウジングの有効利用化や製品コストの削減化を図る、
ことができる。
【図面の簡単な説明】
【００２０】
【図１】汎用のディップチューブが取付け可能なハウジング４の外面下側部分に、幅広環鍔状部５ｅからなるハウジングカバー５(1)を装着した形の内外二重容器エアゾール噴射機構を示す説明図である。
【図２】図１と同一形状のハウジング４の外面下側部分に、幅狭環鍔状部５ｆからなるハウジングカバー５(2)を装着した形の内外二重容器エアゾール噴射機構を示す説明図である。
【図３】図１と同一形状のハウジング４の外面下側部分に、段付き径方向階段状片部５ｇからなるハウジングカバー５(3)を装着した形の内外二重容器エアゾール噴射機構を示す説明図である。
【図４】図３のハウジングカバー５(3)の斜視状態を示す説明図である。
【図５】図１と同一形状のハウジング４の外面下側部分に、すり鉢状片部５ｋからなるハウジングカバー５(4)を装着した形の内外二重容器エアゾール噴射機構を示す説明図である。
【図６】図５のハウジングカバー５(4)の斜視状態を示す説明図である。
【図７】図５，図６のハウジングカバー５(4)のバリエーションであるハウジングカバー５(5)の斜視状態を示す説明図である。
【発明を実施するための形態】
【００２１】
図１〜図７を用いて本発明を実施するための形態を説明する。
【００２２】
なお、以下のアルファベット付き参照番号の構成要素（例えば外上端側環状部１ａ）は原則として、当該参照番号の数字部分の構成要素（例えば外容器１）の一部であることを示している。
【００２３】
図示の内外二重容器エアゾール噴射機構は、大略、
・硬性状の外容器１
・軟性袋状で噴射対象内容物（原液）を収容した内容器２
・噴射用ガスが充填されている与圧空間域３
・バルブ機構（ステム６＋コイルスプリング７＋ステムガスケット８）
・バルブ機構を保持するハウジング４
・ハウジングカバー５(1)〜５(5)
・ハウジングガスケット９
・二重シール作用の中間カバー体10
・外容器１，内容器２およびハウジング４などに対するカバーキャップ11
の構成要素からなっている。
【００２４】
ここで、本発明の内外二重容器エアゾール噴射機構に特徴的な構成要素はハウジングカバー５(1)〜５(5)であり、その他の構成要素はそれぞれ汎用的なものである。
【００２５】
ハウジング４，ハウジングカバー５(1)〜５(5)，バルブ機構（６，７，８），ハウジングガスケット９，中間カバー体10およびカバーキャップ11の各構成要素は、その全体を一体化した形のバルブユニットVU態様で外容器１および内容器２に組み込まれる。
【００２６】
この組込み前のバルブユニットVUにおけるカバーキャップ11の環状垂下部11ｂはまだクリンチ加工されていない。
【００２７】
内容器２の上端側内部空間域からステム通路部６ａにいたる内容物噴射経路は、ハウジング４およびハウジングカバー５(1)〜５(5)の間の下方向への外側通路域Ａと、その下流側で当該ハウジング内部の上方向への内側通路域Ｂと、からなっている。
【００２８】
なお、エアゾール式製品の組立て製造の手順自体は周知であり、概略、
(21)外容器１の内部に内容器２を初期高さ形状を維持する形で組み込み、その開口上端部分から当該内容器に噴射対象内容物（原液）を入れ、
(22)次に、バルブユニットVUを、外容器１および内容器２の上端周回部分の内外両側に上方から装着して、ハウジング４の外周面と当該内容器の上端側内周面とが係合し、かつ、当該バルブユニットの全体が外容器１から少し上方に離間した状態に設定し、
(23)次に、周知のガス充填装置により、外容器１の上端側外周面とカバーキャップ11の環状垂下部内周面との隙間部分から、未シール状態のハウジングガスケット９の下側部分およびその先の外容器１，内容器２の隙間部分へ、噴射用ガスを充填し、
(24)同じく周知のガス充填装置により、バルブユニットVUを押し下げ、かつ、カバーキャップ11の環状垂下部11ｂの下端側を内方にクリンチ加工する、
といった作業手順になる。
【００２９】
上記(21)の工程で外容器１に組み込まれた内容器２は、その蛇腹状部２ｃが初期長さのままで上下方向に収縮せずに、かつ、その下端部分が外容器１の底面に当接した起立状態に保持されている。このとき、内容器２の上端部分は、外容器１のそれよりも上方に位置して当該外容器から少し突出した状態になっている。
【００３０】
また、上記(24)の工程でバルブユニットVUが押し下げられるとき、内容器２の蛇腹状部２ｃは上記(21)の初期状態から上下方向に縮み、当該内容器の上端部分も外容器１の中に入り込んだ形（図１〜図３，図５）に移行する。
【００３１】
図１乃至図７において、
Ａは内容器２の内部空間域上端側部分から後述の中央下筒状部４ｄの流入開口部分までの、「後述の外側縦溝状部４ｈ−後述の下向き段部４ｅと上向き段部５ｄとの離間部分−当該中央下筒状部の外周面と後述の有底筒状部５ａの内周面との離間部分」などからなる外側通路域（上流側通路域），
Ｂはこの流入開口部分から「後述の中央下筒状部４ｄの内部空間−後述の縦孔部４ｋ−後述の中央上筒状部４ｂの内部空間−後述のステム孔部６ｂ」を経てステム通路部６ａにいたる内側通路域（下流側通路域），
をそれぞれ示している。
【００３２】
また、
１はその内部に後述の内容器２が配設される上開口で硬性状の外容器，
１ａは当該外容器の上端側部分であって、ハウジング４などが配設される外上端側環状部，
１ｂは外上端側環状部１ａの下端連続部分に初期形成されている中間環へこみ状部，
２は外容器１の内部に配設されて噴射対象の内容物（原液）を収容する上開口で軟性袋状の内容器，
２ａは当該内容器の上端側部分であって、外容器１の外上端側環状部１ａとハウジング４の外側筒状部４ａとの間に配設保持される内上端側環状部（内容器の上端側内周面），
２ｂは当該内容器のブロー成型の際に形成されて、外容器１の中間環へこみ状部１ｂの対向部分に配設される内側環へこみ状部（内容器の上端側内周面），
２ｃは当該内容器の上側部分に形成されて上下方向に伸縮する蛇腹状部，
３は外容器１と内容器２との間の環状周回部分および底側部分からなり、噴射用ガスが充填された与圧空間域，
をそれぞれ示している。
【００３３】
また、
４は従前のマウンティングカップ機能も備えたプラスチック製の一体成形品であり、外容器１および内容器２の上端側に保持されて、周知のバルブ機構（ステム６＋コイルスプリング７＋ステムガスケット８）を中央筒状部分に収容保持するハウジング，
４ａは当該ハウジングの一部であり、その外周面から外方に向かって、内容器２の上端側部分と、外容器１の上端側部分と、カバーキャップ11の環状垂下部11ｂと、がこの順に、いわば三層状態で配設される外側筒状部，
４ｂは外側筒状部４ａと同一の上下方向中心軸を持ち、ステム６の下側部分およびコイルスプリング７を収容保持する大径の中央上筒状部，
４ｃは外側筒状部４ａと中央上筒状部４ｂとの間のいわば天板部分として作用する環天井部，
４ｄは中央上筒状部４ｂからその下方に連続形成されて、内容器２の噴射対象内容物（原液）の内側通路域Ｂの入力側として作用し、かつ、本発明では使用しない周知の内容物流入用ディップチューブ（図示省略）が取付け可能な小径の中央下筒状部，
４ｅは中央下筒状部４ｄの上端部分と中央上筒状部４ｂの下端部分との間に連続形成された環状の下向き段部，
４ｆは外側筒状部４ａの上端側外周面に形成されて、後述のハウジングガスケット９の内周面を保持する外側環凹状部，
４ｇは中央上筒状部４ｂの内周面に等間隔で飛び飛びに形成された計六個の内容物通過用の内側縦溝状部（内側通路域Ｂの一部），
４ｈは中央上筒状部４ｂの外周面の、内側縦溝状部４ｇが設けられていない内周面部分の裏側に等間隔で飛び飛びに形成された計六個の内容物通過用の外側縦溝状部（内容物通過用溝状部：外側通路域Ａの一部），
４ｊは外側筒状部４ａの内周面と、中央上筒状部４ｂの外周面における内側縦溝状部４ｇの裏側部分（＝外側縦溝状部４ｈが形成されていない凸状部分）と、の間の当該外側筒状部および当該中央上筒状部の径方向に、環天井部４ｃまで続く上下平板態様で等間隔の飛び飛びに形成された計六個の強度アップ用の縦板リブ状部，
４ｋは中央上筒状部４ｂと中央下筒状部４ｄとの境界部分に形成された内容物通過用の縦孔部，
４ｍは環天井部４ｃの最内側部分に形成されて後述のステムガスケット８を保持する環状の下内側段部，
４ｎは下内側段部４ｍの外側直上部分に形成されて、中間カバー体10を保持する環状の上外側段部，
４ｐは外側筒状部４ａの上端から横平面外方に飛び出した形の環天井部４ｃの外端側部分であって、ハウジングガスケット９を保持する環鍔状部，
をそれぞれ示している。
【００３４】
また、
５(1)〜５(5)はそれぞれハウジング４の中央上筒状部４ｂの外周面に嵌合して、内容器２の上端側内部空間域から中央下筒状部４ｄの流入開口部までの外側通路域Ａを設定する鞘状のハウジングカバー（５(1)は図１で使用，５(2)は図２で使用，５(3)は図３および図４で使用，５(4)は図５および図６で使用，５(5)は図７で使用），
５ａは当該ハウジングカバーの下側部分からなり、中央下筒状部４ｄの外側に離間する形で設定された小径の有底筒状部，
５ｂは有底筒状部５ａの底面中央に形成された膨らみ部分，
５ｃは当該ハウジングカバーの上側部分からなり、中央上筒状部４ｂの外周面に嵌合する形で設定された大径のカバー上筒状部，
５ｄは有底筒状部５ａの内側上端部分とカバー上筒状部５ｃの内側下端部分との間に連続形成された環状の上向き段部，
５ｅはカバー上筒状部５ｃの上端部分から横平面外方に連続形成されてハウジング４の縦板リブ状部４ｊの下端面に当接した幅広環鍔状部（図１参照），
５ｆはカバー上筒状部５ｃの上端部分から横平面外方に連続形成されてハウジング４の縦板リブ状部４ｊの下端面に当接した幅狭環鍔状部（図２参照），
５ｇはカバー上筒状部５ｃの上端部分から横平面外方（径方向）への昇り階段の態様、かつ、ハウジング４の隣同士の縦板リブ状部４ｊの間に配設される態様で周方向飛び飛びに形成された計六個の径方向階段状片部（周方向の上端側片部：図３，図４参照），
５ｈは径方向階段状片部５ｇの下内側部分からなる計六個の下面環状部，
５ｊは径方向階段状片部５ｇの上外側部分からなる計六個の上面環状部，
５ｋはカバー上筒状部５ｃの上端部分から上方へ広がるすり鉢状の態様、かつ、ハウジング４の隣同士の縦板リブ状部４ｊの間に配設される態様で周方向飛び飛びに形成された計六個のすり鉢状片部（周方向の上端側片部：図５〜図７参照），
５ｍは隣同士の径方向階段状片部５ｇ，すり鉢状片部５ｋの隙間部分からカバー上筒状部５ｃの上下方向に連続する形に設定され、ハウジングカバー５(3)，５(4)，５(5)をハウジング４に取り付ける際に縦板リブ状部４ｊへの進入空間域として作用する計六個の縦切欠状部、
５ｎはハウジングカバー５(3)，５(4)，５(5)をハウジング４に取り付けた状態で縦板リブ状部４ｊの下端面と当接する縦切欠状部底面，
５ｐはハウジングカバー５(4)の縦切欠状部５ｍの周方向入口側を拡大するように略４５度の面取り態様で設けられ、縦板リブ状部４ｊを案内してその当該縦切欠状部の下側部分への進入を容易にするためのテーパー状案内部（図７参照），
をそれぞれ示している。
【００３５】
また、
６は操作ボタン（図示省略）に取り付けられて上下方向に連動し、後述のステムガスケット８との間でバルブ作用を呈する周知のステム，
６ａはステム内部空間域であって噴射対象内容物（原液）通過用のステム通路部，
６ｂは内容物噴射操作時の作動モードにおいてステム通路部６ａと中央上筒状部４ｂの内部空間域とを連通させる一対のステム孔部（バルブ作用部），
６ｃはステム孔部６ｂを含む形のステム外周面周方向に形成されて、後述のステムガスケット８との間の弁作用を呈する内側環凹状部，
７は中央上筒状部４ｂの底面部分とステム６の下側段部との間に配設されて、当該ステムを上方向に付勢する周知のコイルスプリング，
８はハウジング４の下内側段部４ｍおよびステム６の内側環凹状部６ｃに保持されて、ステム孔部６ｂへの弁作用および中央上筒状部４ｂの内部空間域のシール作用を呈する環状のステムガスケット（バルブ作用部），
９は外容器１および内容器２の各上端環状部や、ハウジング４の外側環凹状部４ｆおよび環鍔状部４ｐなどに密接してシール作用を呈する環状のハウジングガスケット，
をそれぞれ示している。
【００３６】
また、
10はステムガスケット８の内端側を除く上面を覆う形でハウジング４の上外側段部４ｎに保持されて、当該ステムガスケットと、当該ハウジングの下内側段部４ｍとの間でのシール漏れ分への、いわば二重シール作用を呈する環状の中間カバー体，
11はステム移動用の中心開口部を持つ天面およびその側面からなって、内容物を収容した内容器２にバルブ機構を取り付け、かつ、与圧空間域３に噴射用ガスを充填した状態で、周知のクリンチ加工により、内外の各容器およびバルブ機構を密に一体化する例えばアルミ製のカバーキャップ，
11ａは当該カバーキャップの上面内端側に設定されて中間カバー体10を押圧保持する上側環凹状部，
11ｂは当該カバーキャップの天面外端側に形成された環状垂下部，
11ｃはクリンチ加工により環状垂下部11ｂの下端側に形成された外側環へこみ状部，
をそれぞれ示している。
【００３７】
ここで、内容器２，ハウジング４，ハウジングカバー５(1)〜５(5)，ステム６および中間カバー体10などはポリプロピレン，ポリエチレン，ポリアセタール，ナイロン，ポリブチレンテレフタレートなどからなるプラスチック製のものであり、コイルスプリング７はステンレスなどの金属製のものである。なお、コイルスプリングはプラスチック製にしてもよい。
【００３８】
また、外容器１およびカバーキャップ11は金属製のものであり、ステムガスケット８およびハウジングガスケット９はプラスチック製，ゴム製のものである。
【００３９】
図示の内外二重容器エアゾール噴射機構としての基本的特徴は、
(31)噴射対象内容物が中央下筒状部４ｄの下開口側から流入して上方のステム通路部６ａへと移動する内側通路域Ｂを備え、当該中央下筒状部には周知の内容物流入用のディップチューブ（図示省略）の取付けも可能な、汎用構造のハウジング４をそのまま使い、
(32)この汎用構造のハウジング４をその下方から鞘状のハウジングカバー５(1)〜５(5)で囲むことにより、ハウジング外周面とハウジングカバー内周面との間に内容器２の上端側内部空間域から下方向に内側通路域Ｂまで続く外側通路域Ａを形成した、
ことである。
【００４０】
すなわち、内容器２の上端側内部空間域を外側通路域Ａの流入部として設定することにより、エアゾール式製品の出荷前などに初期噴射操作を一回〜数回おこなえば、この上端側内部空間域の残留空気が外部空間域へ噴射されるようにしている。
【００４１】
ここでハウジングカバー５(1)〜５(5)のいずれを用いても、内容器２の上端側内部空間域の残留空気が外部空間域へ噴射されるのは勿論である。
【００４２】
周知のように、内外二重容器エアゾール噴射機構の場合、上記（22）のバルブユニットVUの内容器２への装着作業終了後における当該内容器の上端側内部空間域には、いわば当該バルブユニットの内部空間域に対応した分の空気が必然的に残留する。
【００４３】
この残留空気層は、噴射操作により内容物（原液）とともに外部空間域に圧縮状態で噴射されて、噴射内容物の飛び散りの原因となっている。
【００４４】
図示の汎用ハウジングからなる内外二重容器エアゾール噴射機構は、内容器２の上端側内部空間域への存在がいわば不可避で悪性の残留空気を、製品完成後の初期噴射操作で外側通路域Ａに確実に流入させ、外部空間域に排出する機能を備えている。
【００４５】
内容器２に噴射対象内容物(原液)を収容し、次に与圧空間域３に噴射用ガスを充填して、バルブユニットVUと内容器２との一体物を下方に押しながら環状垂下部11ｂの下端側をクリンチ加工することにより、最終的なエアゾール式製品が製造される。
【００４６】
このエアゾール式製品の、周知の操作ボタン(図示省略)が例えば押下げ操作されていない静止モードのとき、ステム６は、コイルスプリング７の弾性作用により上方に付勢されてステム孔部６ｂが略水平状態のステムガスケット８で閉塞された形になっている。
【００４７】
このとき、ステム孔部６ｂの下流側のステム通路部６ａと、その上流側の内側通路域Ｂとはステムガスケット８で遮断されるので、内容器２の収容内容物が当該ステム通路部およびその先の操作ボタン通路部を経て外部空間域に噴射されることはない。
【００４８】
図１〜図３および図５は、それぞれ静止モードの操作ボタン(図示省略)を例えば押下げ操作したときのいわゆる作動モードを示している。
【００４９】
この作動モードでは、ステム６が、操作ボタンとともに静止モード位置からコイルスプリング７の弾性力に抗しながら下方に移動することにより、ステムガスケット８の内側自由端側がステム外周面の環凸状部に押されていわば「おじぎ」形状に変位する。
【００５０】
このステム６の下動およびステムガスケット８の「おじぎ」形状への変位により、それまで当該ステムガスケットで閉塞されたステム孔部６ｂが開状態へとシフトする。このシフト動作自体は周知のものである。
【００５１】
その結果、与圧空間域３の噴射用ガスの作用で収縮するように付勢されている内容器２の中の噴射対象内容物（原液）が、「外側通路域Ａ−内側通路域Ｂ−ステム孔部６ｂ−ステム通路部６ａ−操作ボタン通路部(図示省略)」を経て外部空間域へと噴射される。
【００５２】
利用者が操作ボタンの押下げ操作をやめると、ステム６はコイルスプリング７の弾性力で上動して静止モードの位置に復帰し、ステムガスケットも「おじぎ」状態から略水平状態の静止モード形態に復帰する。この復帰動作は周知のものである。
【００５３】
図１〜図３および図５の内外二重容器エアゾール噴射機構のそれぞれで相違する部分はハウジングカバー５(1)，５(2)，５(3)，５(4)の形状である。
【００５４】
すなわち、各ハウジングカバーを、ハウジング４の中央上筒状部４ｂの外周面に嵌合させて取り付けた状態で、
(41)図１のハウジングカバー５(1)は，その幅広環鍔状部５ｅがハウジング４の六個の縦板リブ状部４ｊそれぞれの下端面に当接し、
(42)図２のハウジングカバー５(2)は，その幅狭環鍔状部５ｆがハウジング４の六個の縦板リブ状部４ｊそれぞれの下端面に当接し、
(43)図３，図４のハウジングカバー５(3)は，その径方向階段状片部５ｇが、個々に、ハウジング４の縦板リブ状部４ｊの隣同士の上端側空間域（内容器２の上端側内部空間域）まで入り込み、かつ、その縦切欠状部底面５ｎが縦板リブ状部４ｊの下端面と当接し、
(44)図５，図６のハウジングカバー５(4)は，そのすり鉢状片部５ｋが、個々に、ハウジング４の縦板リブ状部４ｊの隣同士の上端側空間域（内容器２の上端側内部空間域）まで入り込み、かつ、その縦切欠状部底面５ｎが縦板リブ状部４ｊの下端面と当接する、
態様にそれぞれ設定されている。
【００５５】
これらのハウジングカバー５(1)，５(2)，５(3)，５(4)の中では、ハウジングカバー５(3)，５(4)を用いた場合の外側通路域Ａの入口部分（流入部）が、内容器２およびハウジング４からなる上端側内部空間域であって隣同士の縦板リブ状部４ｊの間ごとに設定される。
【００５６】
このようにハウジングカバー５(3)，５(4)の場合、その外側通路域Ａの入口部分を構成する径方向階段状片部５ｇまたはすり鉢状片部５ｋが隣同士の縦板リブ状部４ｊの間に個々に設定される。
【００５７】
そのため、噴射対象内容物（原液）の注入後の内容器２にバルブユニットVUを装着したときに縦板リブ状部４ｊの隣同士間の上端側内部空間域それぞれで生じる空気層が、より確実に外側通路域Ａへと流入する。
【００５８】
すなわち、ハウジングカバー５(3)，５(4)の場合、バルブユニットVUの取付け後の内容器２の縦板リブ状部間に存在する空気は、そこを個々の流入部（入口）とする外側通路域Ａから内側通路域Ｂおよびステム通路部６ａを経て外部空間域へと、より確実に噴射される。
【００５９】
図７のハウジングカバー５(5)は、図５，図６のハウジングカバー５(4)の縦切欠状部５ｍの入口側に、縦板リブ状部４ｊを案内してその進入を容易にするためのテーパー状案内部５ｐを設けたものである。ハウジングカバー５(5)をハウジング４に装着する際に、縦板リブ状部４ｊと縦切欠状部５ｍの周方向中央部分とが大きくずれていても、テーパー状案内部５ｐが縦板リブ状部４ｊを当該周方向中央部分に案内して位置合わせするので、容易に装着することができる。テーパー状案内部５ｐを大きく設けると、縦板リブ状部４ｊとの間に隙間ができて外側通路域Ａの流入部（入口）が下がってしまうので、テーパー状案内部５ｐの高さは当該テーパー状案内部を含む縦切欠状部５ｍの全体深さの１／２〜１／３程度とするのが望ましい。
【００６０】
なお、ハウジングカバー５(1)〜５(5)のそれぞれに共通するハウジング４などに関して、
(51)ハウジング４を構成する、外側筒状部４ａ，中央上筒状部４ｂ，環天井部４ｃおよび中央下筒状部４ｄの全体が、プラスチック製の一体成形物であり、
(52)外側筒状部４ａと中央上筒状部４ｂとの間に強度アップ用の縦板リブ状部４ｊが同じく一体成形されており、
(53)縦板リブ状部４ｊの形成方向が、外側筒状部４ａおよび中央上筒状部４ｂそれぞれの径方向であり、
(54)中央上筒状部４ｂの、内側縦溝状部４ｇが設けられていない部分それぞれの外周面側（裏側）に外側縦溝状部４ｈを形成して、その分、当該中央上筒状部自体の厚みを小さくし、
(55)縦板リブ状部４ｊを、外側筒状部４ａの内周面と、中央上筒状部４ｂの内側縦溝状部４ｇの裏側外周面部分（＝外側縦溝状部４ｈが形成されず、当該外側縦溝状部よりも外側筒状部内周面に近い部分）と、の間に形成し、
(56)環天井部４ｃの中央上筒状部側に形成した上外側段部４ｎで、ステムガスケット８の上面に配設されたプラスチック製で二重シール用の中間カバー体10を保持し、
(57)外側筒状部４ａの外周面を、内上端側環状部２ａ，外上端側環状部１ａおよび環状垂下部11ｂの三層部材により保護している。
【００６１】
すなわち、上記(51)，(52)、(53)のように、外側筒状部４ａと中央上筒状部４ｂとの間に縦板リブ状部４ｊを配設する態様でハウジング全体を一体成形することより、従前のマウンティングカップ機能も併せ備えたサイズのハウジング４の強度を高めている。
【００６２】
そして縦板リブ状部４ｊの強度アップ作用により、ハウジング４のその他の部分（外側筒状部４ａ，中央上筒状部４ｂおよび環天井部４ｃなど）の厚みを少しでも小さくして、当該ハウジングの一体成形に必要な合計樹脂量の削減化を図っている。
【００６３】
また、上記(54)，(55)のように、中央上筒状部４ｂの内側縦溝状部４ｇが存在しない部分の厚みを小さくしたり、縦板リブ状部４ｊの径方向の長さを短くしたりすることによっても、同様に、ハウジング４の一体成形に必要な合計樹脂量の削減化を図っている。
【００６４】
また、上記(56)のように、ステムガスケット８の上面の、プラスチック製の中間カバー体10をハウジング４の上外側段部４ｎで保持することにより、内容器２に収容された噴射対象容物（原液）が接触しえる部分全体の金属レス化を図っている。
【００６５】
この中間カバー体10を省略した場合、ハウジング４の下内側段部４ｍとステムガスケット８との当接部分のシール漏れや、噴射内容物自体の浸透性や噴射用ガスの圧力で内容物がステムガスケット８を浸透・透過することがある。
【００６６】
このとき、内容器２の噴射対象内容物が金属製のカバーキャップ11に接触して、その劣化，変形や当該内容物自体の変性などが生じえる。
【００６７】
なお、内容器２に収容した噴射対象内容物の接触部分は、内容器２，ハウジング４，ハウジングカバー５(1)〜５(5)，ステム６，コイルスプリング７，ステムガスケット８，ハウジングガスケット９および中間カバー体10である。これらすべを非金属製の構成要素として設定できる。
【００６８】
また、上記(57)のように、ハウジング４の外側筒状部４ａの外側面の周りを、内上端側環状部２ａ，外上端側環状部１ａおよび環状垂下部11ｂの三層態様で覆っている。
【００６９】
これにより、縦板リブ状部４ｊの補強作用とあいまって例えば当該環状垂下部への衝撃に対するハウジング４の変形・破損防止化を図っている。この衝撃とは、カバーキャップ11の環状垂下部11ｂの下端側をクリンチしてハウジング機構を外容器１に固定する際に垂直下方に押し付けられる力やクリンチにより内側方向に加えられる力などである。
【００７０】
なお、本発明が図示の内容に限定されないことは勿論であり例えば、
(61)ハウジングカバー５(3)の縦切欠状部５ｍの上側部分にハウジングカバー５(5)と同様のテーパー状案内部５ｐを設ける、
(62)ハウジング４を、従前のマウンティングカップとそれに取り付けられたハウジング部分との構成物に設定する。
(63)ハウジング４の縦板リブ状部４ｊを省略する、
(64)ステム６を駆動する操作部として押下げタイプ，傾動タイプ（スパウトタイプ）などの各種操作ボタンを用いる、
(65)縦板リブ状部４ｊの個数や厚み，形状などを任意に設定する、
(66)上記金属レス化の目的を捨象して、プラスチック製のコイルスプリングに代えて金属製のコイルスプリングを用いる、
ようにしてもよい。
【００７１】
噴射対象内容物としては、液状，発泡性（泡状），クリーム状、ペースト状，ジェル状，粉状などの各種性状のものがある。
【００７２】
本発明が適用されるエアゾール式製品としては、染毛剤、ヘアスタイリング剤、ヘアトリートメント剤などのヘアケア製品、日焼け止め、化粧水、クレンジング、制汗剤、シェービング、害虫忌避剤などのスキンケア製品、などの各種用途のものがある。
【００７３】
容器本体に収容される噴射対象内容物は、例えば、粉状物，油成分，アルコール類，界面活性剤，高分子化合物，各用途に応じた有効成分などである。
【００７４】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，塩化マグネシウム，シリカ、酸化亜鉛、酸化チタン、ゼオライト、ナイロンパウダー、これらの混合物などを用いる。
【００７５】
油成分としては、ジメチルポリシロキサンなどのシリコーン油，ミリスチン酸イソプロピルなどのエステル油、パーム油，ユーカリ油，ツバキ油，オリーブ油，ホホバ油などの油脂，流動パラフィンなどの炭化水素油，ミリスチン酸，パルミチン酸，ステアリン酸，リノール酸，リノレン酸などの脂肪酸、などを用いる。
【００７６】
アルコール類としては、エタノールなどの１価の低級アルコール，ラウリルアルコールやセタノールなどの１価の高級アルコール，１，３−ブチレングリコールやグリセリンなどの多価アルコールなどを用いる。
【００７７】
界面活性剤としては、ラウリル硫酸ナトリウムなどのアニオン性界面活性剤、ポリオキシエチレンアルキルエーテルやポリグリセリン脂肪酸エステルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００７８】
高分子化合物としては、ヒドロキシエチルセルロース、メチルセルロース，ゼラチン，デンプン，カゼインなどを用いる。
【００７９】
各用途に応じた有効成分としては、パラフェニレンジアミン，アミノフェノールなどの染料，過酸化水素水などの酸化剤、アクリル系樹脂やワックスなどのセット剤、パラメトキシケイ皮酸２−エチルヘキシルなどの紫外線吸収剤、レチノールやｄｌ−α−ト コフェロールなどのビタミン、ヒアルロン酸などの保湿剤、カンフル，メントールなどの清涼剤、パラフェノールスルホン酸亜鉛などの制汗剤、ジエチルトルアミドなどの害虫忌避剤、などを用いる。
【００８０】
さらに、上記内容物以外の、懸濁剤，乳化剤，酸化防止剤、金属イオン封鎖剤なども用いることができる。
【００８１】
噴射用ガスとしては、炭酸ガス，窒素ガス，圧縮空気，亜酸化窒素，これらの混合ガスなどの圧縮ガスや、液化石油ガス，ジメチルエーテル，ハイドロフルオロオレフィンなどの液化ガスを用いる。
【符号の説明】
【００８２】
Ａ：外側通路域（上流側通路域）
Ｂ：内側通路域（下流側通路域）
【００８３】
１：上開口で硬性状の外容器
１ａ：外上端側環状部
１ｂ：中間環へこみ状部
２：上開口で軟性袋状の内容器
２ａ：内上端側環状部
２ｂ：内側環へこみ状部
２ｃ：蛇腹状部
３：与圧空間域
【００８４】
４：ハウジング
４ａ：外側筒状部
４ｂ：中央上筒状部
４ｃ：環天井部
４ｄ：中央下筒状部
４ｅ：環状の下向き段部
４ｆ：外側環凹状部
４ｇ：内側縦溝状部（内側通路域Ｂの一部）
４ｈ：外側縦溝状部（外側通路域Ａの一部）
４ｊ：縦板リブ状部
４ｋ：縦孔部
４ｍ：環状の下内側段部
４ｎ：環状の上外側段部
４ｐ：環鍔状部
【００８５】
５(1)：ハウジングカバー（図１）
５(2)：ハウジングカバー（図２）
５(3)：ハウジングカバー（図３，図４）
５(4)：ハウジングカバー（図５，図６）
５(5)：ハウジングカバー（図７）
５ａ：小径の有底筒状部
５ｂ：膨らみ部分
５ｃ：大径のカバー上筒状部
５ｄ：環状の上向き段部
５ｅ：幅広環鍔状部（図１）
５ｆ：幅狭環鍔状部（図２）
５ｇ：径方向階段状片部（図３，図４）
５ｈ：下面環状部
５ｊ：上面環状部
５ｋ：すり鉢状片部（図５〜図７）
５ｍ：縦切欠状部
５ｎ：縦切欠状部底面
５ｐ：テーパー状案内部（図７）
【００８６】
６：ステム
６ａ：ステム通路部
６ｂ：ステム孔部
６ｃ：内側環凹状部
７：コイルスプリング
８：環状のステムガスケット
９：環状のハウジングガスケット
【００８７】
10：環状の中間カバー体
11：カバーキャップ
11ａ：上側環凹状部
11ｂ：環状垂下部
11ｃ：外側環へこみ状部
【図１】
2015209245.tif 000003
【図２】
2015209245.tif 000004
【図３】
2015209245.tif 000005
【図４】
2015209245.tif 000006
【図５】
2015209245.tif 000007
【図６】
2015209245.tif 000008
【図７】
2015209245.tif 000009